(57)【特許請求の範囲】
【請求項１】
冷却塔の散水槽の上端開口部に遮光蓋を取り付けるための構造であって、該構造は遮光板の周縁部から下方に突出して該遮光板を該散水槽の底面上方に設置する脚体と、該散水槽の底面に形成された小孔に上方から挿通して挿通後は該底面に外方から係止可能な係止バーを取り付けたチェーン、ワイヤー、紐等の索状体とからなり、該係止バーを該底面に係止した後に該索状体を該遮光板に緊張状態で取付得るようにしてなることを特徴とする冷却塔の散水槽の遮光蓋取付構造。
【請求項２】
前記脚体が前記遮光板の周縁部に取り付けられた複数のパイプであって、前記索状体が該パイプの内部を通ってその下端から下方に延出してなることを特徴とする請求項１記載の冷却塔の散水槽の遮光蓋取付構造。
【請求項３】
前記索状体がチェーンであって、前記パイプの上端より露出した該チェーンの上方部を結んだときにその結び目が前記パイプの内径よりも大きくなることを特徴とする請求項２記載の冷却塔の散水槽の遮光蓋取付構造。
【請求項４】
前記遮光板の中央部に開閉自在な点検口を設けてなることを特徴とする請求項１乃至３の何れか１項に記載の冷却塔の散水槽の遮光蓋取付構造。
【発明の詳細な説明】
【０００１】
【発明の属する技術分野】
本発明はビルの屋上などに設置されている既設の冷却塔の散水槽の上面をカバーする遮光蓋の取付構造に関するものである。
【０００２】
【従来の技術】
ビルの屋上に設置される冷却塔では、冷凍機などの熱発生源から生じる温排水を塔頂から底部に多数の小孔を有する散水槽内に排水し、散水槽の底部小孔から上記排水を充填材中に落下させながらこれを空気と接触させ、その蒸発時に発生する潜熱を利用して上記排水を冷却するものである。
【０００３】
この散水槽は、その上面が開口していると落ち葉やビニールシートなどの外部からの飛来物がその中に落ちて散水口を閉塞したりするだけでなく、日光に晒されると光合成により藻類や微生物が繁殖して散水口の閉塞をきたすことがある。
【０００４】
最近製造された冷却塔では、各メーカーは設計仕様のオプションとして製造当初から散水槽の蓋を提供している。しかしながら、冷却塔は散水槽の蓋を設けていないものが多く、最近になって各メーカーは既設の冷却塔に取り付け可能な蓋を提供するようになっている。
【０００５】
しかしながら、その取り付け方法のほとんどは、散水槽の止めボルトを全てフレームから取り外し、蓋を所定の位置に設置し、再びそのボルトを使用して蓋の縁をフレームに固定する方法を採っている。
【０００６】
また、上記の方法とは別に、散水槽に蓋をただ単に被せる方法がごく僅かであるが採用されている。この場合、蓋は散水槽内にはまり込むような逆トレー状に形成され、その高さは風の抵抗を避けるために散水槽の深さと同じか或いは少し低くされている。しかし、蓋と散水槽とを直接固定している金具はないので、安全を見てその蓋をある程度以上重くする必要があり、その重さは０．５ｍ2 当たり２０Ｋｇ程度となっている。
【０００７】
【発明が解決しようとする課題】
しかしながら、前者の方法では蓋を取り付ける作業を行うために冷却塔の運転を数時間停止しなければならない。冷却塔は運転上いつでも停止できるものではないので、限られた日時に作業を行わざるを得ない。最近では年間を通じて数時間しか運転を停止できない冷却塔が増えてきているので、このような方法は採用し難くなっている。
【０００８】
また、殆どの冷却塔散水槽はＦＲＰ製で、大きな荷重に耐え得る設計仕様となっていないため、後者のような重い蓋が被せられ、しかもすぐ脇の大きなファンによって常時振動荷重が加えられると、散水槽に短期間の内に亀裂が入ってしまう虞がある。
【０００９】
本発明は上記のような問題点に鑑みてなされたもので、その目的は、冷却塔の運転を停止することなく、散水槽の上部開口部を簡単にかつ確実に蓋することができる軽量な遮光蓋の取付構造を提供するにある。
【００１０】
【課題を解決するための手段】
上記目的を達成するため、本発明に係る冷却塔の散水槽の遮光蓋取付構造では、遮光板の周縁部から下方に突出して遮光板を散水槽の底面上方に設置する脚体と、散水槽の底面に形成された小孔に上方から挿通して挿通後はこの底面に外方から係止可能な係止バーを取り付けたチェーン、ワイヤー、紐等の索状体とからなり、係止バーを前記底面に係止した後に索状体を遮光板に緊張状態で取付得るようにしてなるのである。
【００１１】
このように、本発明の遮光蓋の取付構造では散水槽の底面に形成された小孔を利用し、この小孔に索状体を係止して取り付けるようにしているので、その取付構造は極めて簡単であると共に冷却塔の運転を停止することなく容易にしかも確実に取り付けることができる。
【００１２】
好ましくは、前記脚体を前記遮光板の周縁部に取り付けられた複数のパイプから構成し、前記索状体を該パイプの内部を通ってその下端から下方に延出することである。
【００１３】
これにより、索状体を緊張状態に張設することが容易で、しかもこの緊張状態において脚体が安定的に散水槽の底面に取り付けられることになる。
【００１４】
更に好ましくは、記索状体をチェーンとし、前記パイプの上端より露出した該チェーンの上方部を結んだときにその結び目が前記パイプの内径よりも大きくなるようにすることである。
【００１５】
これにより、前記緊張状態で取り付けることが極めて容易となる。
【００１６】
【発明の実施の形態】
以下に本発明の好適な実施形態について、添付の図面を参照にして説明する。
図１は本発明を適用する冷却塔を一部破断して示す図で、冷却塔の塔頂の左右の側方部にはそれぞれ２個の細長い矩形の散水槽１が設けられている。各散水槽１の中央部には散水箱２が取り付けられ、散水箱２の上面中央には循環水を導入するパイプ取付孔３が設けられている。また、塔頂の中央部には円筒形のファンガード４でカバーされた低騒音ファン５が配設され、外気を冷却塔内に吸入するようになっている。
【００１７】
散水槽１の下面には多数の小孔６が穿設され、散水槽１の下方には上下２段に充填材７が配設され、充填材の外側面にはルーバー８が取り付けられている。冷却塔の内部下方には落とし込み水槽９が設けられ、ここに循環水出口管１０が配設されている。また、ルーバー８の面と直行する冷却塔の他の相対向する側面は外板１１で覆われ、一方の外板１１には内部に作業員が入ることのできる点検口１２が設けられ、この点検口に入った作業員が内部を点検するための渡り板１３も設けられている。
【００１８】
上記のような公知の冷却塔では、図示を省略した循環水パイプが散水箱２のパイプ取付孔３に接続され、そこから冷凍機などの熱発生源から生じる温排水が散水箱の両側の散水槽１に供給される。散水槽の底部には多数の小孔６が穿設されているため、温排水はその小孔６を通ってその下方の充填材７に付着しながら流下する。この時、塔上のファン５が連続的に回転して外気をルーバー８から充填材７を通して内部に吸引しているため、充填材７を伝わって流下している温排水の一部は外気と接触して蒸発し、その潜熱によって充填材が冷却され、それを伝わって流下する温排水は冷却され、落とし込み水槽９には冷却水が貯留され、その冷却水は循環水出口管１０を通って冷凍機などに送られる。
【００１９】
既設の冷却塔は、上記のように散水槽１の上面が開放しているものが多く、本発明は、この散水槽１の上面開放部を遮光性のカバーで蓋するもので、その構造について図２を参照にして説明する。
【００２０】
図２は散水槽１の上面開放部に遮光性カバー２０を取り付ける状態を説明するための説明図で、遮光性カバー２０を散水槽１の上方位置に分離して示している。
【００２１】
遮光性カバー２０はステンレス製または不透明のアクリル樹脂等の耐候性に優れた合成樹脂から形成することが好ましい。遮光性カバー２０の４隅近傍には上端部外周に螺旋溝を形成したパイプ２１が挿通され、各パイプの上端部の螺旋溝には遮光性カバー２０を挾んで一対のナット２２が螺合され、パイプを遮光性カバー２０に固定している。このパイプ２１の遮光性カバーより下方の長さは散水槽１の深さとほぼ等しくなるように形成されている。各パイプ２１の内部にはチェーン２３が挿通され、チェーン２３の下端には直線状の係止バー２４が取り付けられている。尚、このチェーン２３の太さ及び係止バー２４の直径は散水槽１の底面に形成された小孔６の直径よりも小さく、また係止バー２４の長さはこの小孔６の直径よりも大きく形成されている。一方、チェーン２３の上端はパイプ２１の上端から充分な長さ外方へ露出している。前記４つのナット２２の内の一つのナット２２にはアーチ状に針金２５を溶接し、その針金にはロック用の第２の太いチェーン２６が取り付けられている。
【００２２】
また、遮光性カバー２０の中央部には内部を観察するための点検口が開口され、この開口を覆うように開閉自在な２枚の覆い板２７ー２７が取り付けられている。そして、この覆い板２７の周囲４個所には断面Ｌ字型の止め金具２８が取り付けられている。この止め金具２８の内周側係止部の縦寸法は覆い板２７の板厚の２倍よりやや大きく形成されていて、止め金具２８を取り外すことなく一方の覆い板を他方の覆い板の上に移載して点検口の片側を開口させて内部を観察することができるようになっている。
【００２３】
上記のような構成の遮光性カバー２０を散水槽１に取り付けるには、遮光性カバー２０の４隅に取り付けた各パイプの下端からチェーン２３を引き出し、各チェーン２３の下端に取り付けられた係止バー２４を垂直にしてチェーン２３の下端と共に小孔内下方に挿通する。次いで遮光性カバー２０を図２の状態から４隅の矢印で示すように下方に降ろして、パイプ２１の下端を散水槽１の内底面に載せる。この時、遮光性カバー２０の上面は散水槽の上面と面一か或いはそれよりも若干低くなって散水槽の上端開口部を全面的に覆うようになる。次いで。パイプ２１の上端から露出したチェーン２３の上方部を引き上げると係止バー２４が水平になって小孔６の下端において散水槽１の底面に外側から係止される。尚、この時、４つのパイプ２１の下端開口部が、通常、散水槽１の小孔６の真上にくることはほとんどなく、両者の位置は若干ずれるので、パイプの下端が上記のように係止されたチェーン２３の上面に載ることになる。しかし、このように載るとパイプ２１の下端の安定性が悪く、遮光性カバー２０全体がガタ付くことになるので、好ましくはパイプ２１の下端周縁にチェーン２３が通ることのできる逆凹状の切欠を２〜３個形成することである。この状態で遮光性カバー２０の上方に露出しているチェーン２３をパイプ２１の直近上方で結んでパイプの内径よりも大きな径の結び目を作りチェーン２３を緊張状態に維持すればよい。次いで、ロック用の太いチェーン２６を散水槽１の上方或いはその周辺に設置されたフレームとか柵に止錠する。
【００２４】
上記のように設置された遮光性カバー２０は散水槽１の上面を覆ってその内部に太陽光が入るのを防止するので、散水槽内に光合成によって藻などが生えたり微生物が生育するのを防止する。所要の場合には、覆い板２７を一部空けて内部の状態を点検することができる。また、遮光性カバー２０を取り外すには、前記の操作と逆に、ロック用の太いチェーン２６の止錠を解き、パイプ２１の上端で結んだチェーン２３の結び目をほどき、チェーンを緩めて遮光性カバー２０を少し持ち上げてパイプ２１の下端を散水槽１の内底面から分離し、ピンセット等をチェーン２３が通っている散水槽１の小孔６に差し込んで係止バー２４を垂直にしながらチェーン２３を引き上げてやれば遮光性カバー２０を散水槽から完全に分離することができる。
【００２５】
上記説明は本発明の好適な実施形態の一つを記載しただけであって、本発明では上記実施形態以外に種々の変形例が考えられる。
【００２６】
例えば、上記実施形態ではパイプ２１にチェーン２３を挿通しているが、これはチェーンに限られるものではなく、ワイヤー、紐等その他の索状体でよい。
【００２７】
また、上記実施態様ではチェーン２３をパイプ２１に挿通するようにしているが、チェーン２３はパイプに挿通させる必要はなく、パイプの近傍において遮光性カバー２０に透孔を穿設し、その透孔からチェーン２３を通しチェーンの下端の係止バー２４を散水槽１の底面の小孔６に係止するようにしてもよい。この場合、遮光性カバー２０に取り付けるのはパイプ２１ではなくその他の適宜の脚体であればよいことになる。
【００２８】
【発明の効果】
以上のように本発明の遮光蓋の取付構造では散水槽の底面に形成された小孔を利用し、この小孔に索状体を係止して取り付けるようにしているので、その取付構造は極めて簡単であると共に冷却塔の運転を停止することなく容易にしかも確実に取り付けることができる。
【００２９】
また、前記脚体を前記遮光板の周縁部に取り付けられた複数のパイプから構成し、前記索状体を該パイプの内部を通ってその下端から下方に延出するようにした場合には、索状体を緊張状態に張設することが容易で、しかもこの緊張状態において脚体が安定的に散水槽の底面に取り付けられることになる。
【００３０】
更に、記索状体をチェーンとし、前記パイプの上端より露出した該チェーンの上方部を結んだときにその結び目が前記パイプの内径よりも大きくなるようにした場合には、前記緊張状態で取り付けることが極めて容易となる。
【図面の簡単な説明】
【図１】本発明を適用する冷却塔を一部破断して示す斜視図である。
【図２】本発明に係る遮光性カバーを冷却塔の散水槽に取り付けるための取付構造を説明するための斜視図である。
【符号の説明】
１    散水槽
２    散水箱
６    散水槽の小孔
２０  遮光性カバー
２１  パイプ
２３  チェーン
２４  係止バー
２７  覆い板
【図１】
0003944309.tif 000002
【図２】
0003944309.tif 000003